(57)【要約】  【課題】モニタ装置およびモニタ装置に表示される映像を観察する観察者を取り巻く観察環境の照明光の特性と、モニタ装置の表示特性とに応じて表示される映像の色補正を容易に行えるようにする。  【解決手段】  観察者がリモートコントローラ１３０の対物レンズ部１３４を、映像表示面１１２に表示されるテストパターン（カラーパッチ）や基準白色板１１４に向けて画角の調整および焦点調節を行い、観察環境の照明光特性とモニタ表示特性とを計測する。計測結果は映像信号処理装置１２０に送信され、映像信号処理装置１２０は受信した計測結果に基づき、色変換パラメータを算出する。映像信号処理装置１２０は、入力映像信号に対して上記色変換パラメータを適用して観察環境照明光の特性およびモニタ装置の表示特性に合わせた映像がモニタ装置１１０に表示されるようにする。【選択図】図１
2009005004.tif 000002
【特許請求の範囲】
【請求項１】
観察者がモニタ装置の映像表示面に表示される映像を観察する位置である映像観察位置から操作可能な遠隔操作部であって、カラーセンサと、計測対象物の像を前記カラーセンサの受光面上に形成するように構成される対物光学系と、前記対物光学系および前記カラーセンサで捉えられる前記計測対象物の空間的範囲を前記観察者が目視可能に構成される計測範囲確認部とを有する遠隔操作部と、
前記映像表示面に色標を含むテストパターンを表示可能に構成されるテストパターン表示部と、
前記観察者が前記映像表示面に表示される前記テストパターンに前記対物光学系を向けることによって前記受光面上に形成される前記テストパターンの像から前記カラーセンサが前記色標の色を計測した結果に基づいて前記モニタ装置のモニタ表示特性を導出するモニタ表示特性導出部と、
前記モニタ表示特性に基づいて色変換パラメータを導出し、入力される映像信号に対して前記色変換パラメータに基づく色変換の処理をして前記モニタ装置に色変換処理後の映像信号を出力する映像信号処理部と
を有することを特徴とする映像表示システム。
【請求項２】
前記モニタ表示特性導出部が前記モニタ装置のモニタ表示特性を導出する際に、前記テストパターンに含まれる前記色標の部分のみの色が計測されるようにするための計測範囲調節部をさらに有することを特徴とする請求項１に記載の映像表示システム。
【請求項３】
前記モニタ装置および前記観察者を取り巻く環境である観察環境を照明する観察環境照明光の色特性を計測する観察環境照明光計測部と、前記観察環境照明光計測部において前記観察環境照明光の色特性が計測された結果に基づいて前記観察環境照明光の色特性である観察環境照明光特性を導出する観察環境照明光特性導出部をさらに有し、
前記映像信号処理部は、前記モニタ表示特性に加えて前記観察環境照明光特性に基づいて前記色変換パラメータを導出し、入力される映像信号に対して前記色変換パラメータに基づく色変換の処理をして前記モニタ装置に色変換処理後の映像信号を出力することを特徴とする請求項１又は２に記載の映像表示システム。
【請求項４】
前記観察環境照明光特性計測部は、前記モニタ装置の近傍に配設される標準反射板と前記遠隔操作部とによって構成され、前記観察者が前記標準反射板に前記対物光学系を向けることによって前記受光面上に形成される前記標準反射板の像から前記標準反射板で反射された観察環境照明光の特性を前記カラーセンサが計測可能に構成されることを特徴とする請求項３に記載の映像表示システム。
【請求項５】
前記観察環境照明光特性計測部は、前記映像信号処理部に接続され、前記観察環境照明光を受光して前記観察環境照明光の色特性を計測可能に構成される照明センサ部を有し、前記観察者が前記遠隔操作部を操作することに応じて前記映像信号処理部は前記観察環境照明光特性計測部から前記照明センサ部による前記観察環境照明光の色特性の計測結果を入力するように構成されることを特徴とする請求項３に記載の映像表示システム。
【請求項６】
前記観察者が前記遠隔操作部を操作するのに応じて、前記テストパターンを前記映像表示面に表示するためのテストパターン映像信号が前記映像信号処理部から前記モニタ装置に出力されるように構成されることを特徴とする請求項１から５のいずれか一つに記載の映像表示システム。
【請求項７】
前記カラーセンサは二次元イメージセンサで構成され、
前記計測範囲確認部は、前記カラーセンサから出力される信号からセンサ映像信号を生成するセンサ映像信号生成部と、前記遠隔操作部に備えられ、前記センサ映像信号に基づくセンサ映像を表示可能なセンサ映像表示部とを有することを特徴とする請求項１から６のいずれか一つに記載の映像表示システム。
【請求項８】
前記カラーセンサは二次元イメージセンサで構成され、
前記計測範囲確認部は、前記カラーセンサから出力される信号からセンサ映像信号を生成するセンサ映像信号生成部と、前記センサ映像信号に基づくセンサ映像を前記モニタ装置の前記映像表示面に表示するために前記センサ映像信号を前記映像信号処理部に送出するセンサ映像信号送出部とを有することを特徴とする請求項１から６のいずれか一つに記載の映像表示システム。
【請求項９】
前記対物光学系がさらに、前記対物光学系を透過した光が前記カラーセンサの前記受光面上で合焦するように前記対物光学系の焦点位置を調節する焦点調節装置をさらに有することを特徴とする請求項１から８のいずれか一つに記載の映像表示システム。
【請求項１０】
前記テストパターン中に、前記焦点調節装置による前記焦点位置の調節を容易にするための高コントラストパターンが設けられていることを特徴とする請求項９に記載の映像表示システム。
【請求項１１】
前記遠隔操作部は、ワイヤレスキーボード又はワイヤレスマウスで構成されることを特徴とする請求項１から１０のいずれか一つに記載の映像表示システム。
【請求項１２】
前記カラーセンサは二次元イメージセンサで構成され、
前記カラーセンサから出力される信号からセンサ映像信号を生成するセンサ映像信号生成部と、
前記センサ映像信号を処理し、前記対物光学系および前記カラーセンサによって捉えられた前記計測対象物の像中から前記色標又は前記標準反射板の像部分を抽出し、抽出された前記像部分を解析して前記色標の色を計測する画像認識処理部と
をさらに有することを特徴とする請求項４に記載の映像表示システム。
【発明の詳細な説明】
【技術分野】
【０００１】
本発明は、映像表示用のモニタ装置に入力する映像信号に対して処理をして高忠実度かつリアリティに富む色再現の映像を表示することを可能とする映像信号処理装置を有する映像表示システムに関する。
【背景技術】
【０００２】
被写体の正確な色再現をモニタ装置で可能とするための一方法としてモニタに色標（カラーパッチ）を表示し、色度計等を用いて色標の色を計測してモニタ装置の色再現特性を求める方法が知られている。この方法によれば、上述のようにして求めたモニタ装置の色再現特性をもとに、モニタ装置に入力される信号に補正を施すことにより、モニタ装置の色再現特性の影響を排除して映像の表示を行うことが可能となる。この方法は一般にモニタキャリブレーションと称される。
【０００３】
モニタ装置の色再現特性は、モニタ装置をコールドスタートさせてから装置全体が一定温度に暖まるまでに変化し、また、モニタ装置を新たに使い始めてから年月が経過することに伴って変化することも知られている。モニタ装置の上述した色再現特性変化に対応してユーザが適宜モニタキャリブレーションを行うことになるが、すべてのユーザがこのようなモニタキャリブレーションを気軽に行える訳ではない。これに対して特許文献１には、リモート操作装置にディスプレイ装置の色再現特性を検出するカラーセンサを内蔵するものが開示されている。ユーザは、リモート操作装置を操作して、ディスプレイ装置の動作モードをテストモードに変更する。そしてリモート操作装置をディスプレイ装置に近づけることにより、ディスプレイ装置に種々の色のパターンが順次表示される際にリモート操作装置に内蔵されたカラーセンサで表示色を計測する。計測結果は、ディスプレイ装置に接続される制御装置に送信され、この計測結果に基づき、ディスプレイ装置に表示される映像の色補正を行う。
【特許文献１】特開２００５−２３６４６９号公報
【発明の開示】
【発明が解決しようとする課題】
【０００４】
上述した特許文献１の構成では、モニタ装置を遠隔操作するためのものとして一般的に用いられるリモート操作装置に、モニタキャリブレーション用のカラーセンサを内蔵することにより、ユーザは比較的容易にモニタキャリブレーションを実行することができる。
【０００５】
しかしながら、モニタキャリブレーションに際してはリモート操作装置をディスプレイ装置に近づける必要があり、ユーザがディスプレイ装置から離れたところからディスプレイ装置を遠隔操作できるという、リモート操作装置の利点を必ずしも活かすことができなかった。また、表示用デバイスとして液晶表示装置を用いるディスプレイ装置等では、いわゆる視野角特性を有しており、ディスプレイ装置の映像表示面に対してどの角度から映像を観察するかによって、ディスプレイ装置のコントラストや色再現特性が異なって見えることがある。従って、映像表示面に正対せずに斜めの位置から映像を観察するような状況では、せっかくモニタキャリブレーションを実行しても、観察者は必ずしも理想的に色再現された映像を観察できない場合があった。
【０００６】
本発明は、上述した課題を解決するための手段を提供することを目的としており、ユーザがより手軽にモニタキャリブレーションを実行することができる技術を提供することを目的とする。加えて、視角変化量に対して比較的大きなコントラスト変化、色再現特性を有するモニタ装置に表示される映像を斜めの位置から観察する場合であっても、視角に応じて最適の色再現が得られるようにモニタキャリブレーションをすることが可能な技術を提供することを目的とする。
【課題を解決するための手段】
【０００７】
本発明は、映像表示システムに適用される。そしてこの映像表示システムが、観察者がモニタ装置の映像表示面に表示される映像を観察する位置である映像観察位置から操作可能な遠隔操作部であって、カラーセンサと、計測対象物の像を前記カラーセンサの受光面上に形成するように構成される対物光学系と、前記対物光学系および前記カラーセンサで捉えられる前記計測対象物の空間的範囲を前記観察者が目視可能に構成される計測範囲確認部とを有する遠隔操作部と、
前記映像表示面に色標を含むテストパターンを表示可能に構成されるテストパターン表示部と、
前記観察者が前記映像表示面に表示される前記テストパターンに前記対物光学系を向けることによって前記受光面上に形成される前記テストパターンの像から前記カラーセンサが前記色標の色を計測した結果に基づいて前記モニタ装置のモニタ表示特性を導出するモニタ表示特性導出部と、
前記モニタ表示特性に基づいて色変換パラメータを導出し、入力される映像信号に対して前記色変換パラメータに基づく色変換の処理をして前記モニタ装置に色変換処理後の映像信号を出力する映像信号処理部と
を有することにより上述した課題を解決する。
【発明の効果】
【０００８】
本発明によれば、観察者がモニタ装置の映像表示面に表示される映像を観察する位置である映像観察位置から操作可能な遠隔操作部がカラーセンサと、計測対象物の像をカラーセンサの受光面上に形成するように構成される対物光学系と、対物光学系およびカラーセンサで捉えられる計測対象物の空間的範囲を観察者が目視可能に構成される計測範囲確認部とを有しているので、観察者は映像表示面に表示される映像を観察する位置に居ながらにして、計測範囲確認部で計測対象物のどの範囲が計測されるのかを確認しながら対物光学系を映像表示面に表示されるテストパターンに向けることができる。従って、視野角特性を有するようなモニタ装置の映像表示面に対して斜めの位置から映像を観察するような場合であっても、その位置からモニタ表示特性を計測できる。そして、映像表示面に表示されるテストパターンの像を対物光学系によってカラーセンサに導き、テストパターン中に含まれる色標の色をカラーセンサで計測した結果に基づいてモニタ装置のモニタ表示特性をモニタ表示特性導出部で導出し、このモニタ表示特性に基づいて色変換パラメータを導出し、入力される映像信号に対してこの色変換パラメータに基づく色変換の処理をしてモニタ装置に色変換処理後の映像信号を出力することにより、モニタ装置の視野角特性の影響を減じて正確な色再現の映像を表示することが可能となる。また、モニタ表示特性の計測に際して映像表示面に正対する位置に観察者が移動する必要がないので手軽にモニタ表示特性の計測をすることが可能となる。
【発明を実施するための最良の形態】
【０００９】
−  第１の実施の形態  −
図１は、本発明の第１の実施の形態に係る映像表示システム１００の全体構成を概略的に示すブロック図である。映像表示システム１００は、映像表示用のモニタ装置１１０と、モニタ装置１１０に接続される映像信号処理装置１２０と、リモートコントローラ１３０とを有する。
【００１０】
モニタ装置１１０は、映像を表示するための映像表示面１１２を有する。モニタ装置１１０の上部に設けられているのは基準白色板１１４である。基準白色板１１４は、モニタ装置１１０と、モニタ装置１１０の映像表示面１１２に表示される映像を観察する観察者とを取り巻く環境を照明する照明光の分光特性を後述する方法で計測する際に用いられる、均一な分光反射特性を有する無彩色の標準反射板である。以下では、モニタ装置１１０と、モニタ装置１１０に表示される映像を観察する観察者とを取り巻く環境を「観察環境」と称する。また、観察環境を照明する自然光、あるいはタングステン灯や蛍光灯などを総称して観察環境照明と称する。そして観察環境照明からの光を観察環境照明光と称する。図１において基準白色板１１４はモニタ装置１１０の上部に設けられている例が示されているが、モニタ装置１１０の左右や下部に設けられていてもよい。基準白色板１１４はまた、モニタ装置１１０と隣接して設けられていても、離間して設けられていてもよい。
【００１１】
映像信号処理装置１２０は、入力映像信号およびこの入力映像信号に付随する入力映像プロファイル情報を入力し、後で詳細に説明する処理を入力映像信号に施して、処理後の映像信号をモニタ装置１１０に出力ためのものである。この映像信号処理装置１２０はセットトップボックス（ＳＴＢ）として実施することが可能である。あるいは、この映像信号処理装置１２０をビデオレコーダ等の外部機器に内蔵したり、モニタ装置１１０内に内蔵したりすることも可能である。ここで、入力映像信号はＮバンドのマルチスペクトルカメラで被写体を撮影して生成された、マルチスペクトルの映像信号であるものと仮定する。Ｎバンドのマルチスペクトルカメラとは、互いに異なる分光特性を有するカラーフィルタあるいはダイクロイックプリズム等を用いて、被写体からの光を互いに異なる分光帯域を有するＮバンドの光に分光し、それぞれをイメージセンサで入力してＮバンドからなる映像信号を生成可能なカメラである。
【００１２】
マルチスペクトルカメラで撮影をする際には、被写体を照明していた光（以下、これを「被写体照明光」と称する）の分光特性も映像信号とともに記録される。入力映像信号とともに映像信号処理装置に入力される入力映像プロファイル情報には、被写体照明光の分光特性に関連する情報（以下、これを「入力照明光スペクトル情報」と称する）と、マルチスペクトルカメラの機器プロファイルに関連する情報とが含まれる。機器プロファイルに関連する情報中には、マルチスペクトルカメラが有するレンズの分光透過特性、マルチスペクトルカメラに内蔵されるイメージセンサの分光感度特性や階調特性等が含まれる。以下では、マルチスペクトルカメラが有するレンズの分光透過特性とイメージセンサの分光感度特性とを合わせたものを「入力分光感度特性情報」と称する。また、イメージセンサの階調特性に関連する情報を「入力γ特性情報」と称する。この入力γ（ガンマ）特性情報は、マルチスペクトルカメラの各スペクトル（各バンド）に対応して有する。
【００１３】
映像信号処理装置１２０は、信号受信部１２１と、テストパターン映像生成部１２２と、表示映像切替部１２４と、色変換パラメータ算出部１２５と、色変換部１２６とを有する。信号受信部１２１は、リモートコントローラ１３０から光あるいは電波等の搬送波に乗せられて送られてくる信号を受信し、デコードをしてその信号中からコマンドや情報などを抽出する。テストパターン映像生成部１２２は、モニタ装置１１０に後述するテストパターン映像を表示するためのテストパターン映像信号を生成する。
【００１４】
表示映像切替部１２４は、モニタ装置１１０に表示する映像を、入力映像信号に基づくものとテストパターン映像信号に基づくものとの間で切り替えるためのものである。色変換パラメータ算出部１２５は、リモートコントローラ１３０から送出される信号中に含まれる観察環境照明光特性情報およびモニタ表示特性情報と、入力映像信号とともに映像信号処理装置１２０に入力される入力映像プロファイル情報とに基づいて後述するように色変換パラメータを生成し、色変換部１２６に出力する。上記観察環境照明光特性情報およびモニタ表示特性情報については後で詳細に説明する。色変換部１２６は、色変換パラメータ算出部１２５から出力される色変換パラメータに基づき、入力映像信号に対して後述する色変換の処理を施して表示映像切替部１２４に出力する。
【００１５】
リモートコントローラ１３０は、ユーザインターフェース部１３２と、対物レンズ部１３４と、ビームスプリッタ１３６と、焦点調節機構１３８と、視野調整機構１４０と、カラーセンサ部１４２と、センサ制御部１４４と、送信制御部１４６と、信号送信部１４８と、接眼部１５０とを有する。このリモートコントローラ１３０は、ユーザインターフェース部１３２を観察者が操作することにより、入力映像信号の切替、ボリューム調節、選局等、通常のリモートコントローラが有する遠隔操作をすることができる。リモートコントローラ１３０はまた、後で説明する色計測機能を有する。
【００１６】
対物レンズ部１３４は、基準白色板１１４又は映像表示面１１２に表示されるテストパターン映像の像を形成するためのものである。対物レンズ部１３４を透過した光はビームスプリッタ１３６によってその一部がカラーセンサ部１４２の受光面に導かれ、残りの光はビームスプリッタ１３６を透過して接眼部１５０に導かれる。接眼部１５０は、ポロプリズム、ポロミラー、ダハプリズム、あるいはダハミラーなどを含む接眼光学系を有する。観察者が接眼部１５０に眼を当てて中を覗くと、視野内における所定の広さの領域を囲むターゲットマークが視野に重なって見えるように接眼部１５０は構成されている。
【００１７】
観察者が映像表示面１１２に表示される映像を観察する位置に居る状態でユーザインターフェース部１３２を操作すると、上述したように入力映像信号の切替、ボリューム調節、選局等の操作を行うことができる。加えて、観察者がユーザインターフェース部１３２を操作して映像信号処理装置１２０をキャリブレーションモードに設定すると、映像信号処理装置１２０からモニタ装置１１０に送出される映像信号に基づいて、キャリブレーションモード実行に際してのリモートコントローラ１３０の操作ガイダンス表示や、色標などのテストパターン映像の表示などが行われる。
【００１８】
図４には、モニタ装置１１０がいわゆるＲＧＢモニタで、ＲＧＢ各色の最大入力値が２５５（２４ビット入力カラーモニタ）である場合に、映像表示面１１２に表示されるテストパターン（色標）４０１、４０２、４０３、４０４、４０５、４０６、４０７が例示されている。これらのテストパターンは、いずれもＲ、Ｇ、Ｂいずれかの原色による単一色のパターンとなっている。それぞれのテストパターンには、図４においてテストパターン４０１、４０５のみに示されているような、焦点調節を容易にするための高コントラストパターン４１０が設けられている。この高コントラストパターン４１０のパターン形状は、必要に応じて適宜変更することが可能である。また、この高コントラストパターン４１０については焦点調節の操作が完了した時点で表示をしないようにすることも可能である。上記のテストパターン４０１、４０２、４０３、４０４、４０５、４０６、４０７が表示画面１１２の一部又は全部の領域に一つずつ順番に表示される。
【００１９】
図４に示される例において、テストパターン４０１は、ＲＧＢの画素値が（２５５、０、０）の組み合わせを有する、彩度が最も高い赤色のパターンとなっている。同様に、テストパターン４０２はＲＧＢの画素値が（０、２５５、０）の組み合わせを有する、彩度が最も高い緑色のパターンとなっている。テストパターン４０３は、ＲＧＢの画素値が（０、０、２５５）の組み合わせを有する、彩度が最も高い青色のパターンとなっている。テストパターン４０４は、ＲＧＢの画素値が（０、０、０）の組み合わせを有する、最低輝度（暗黒）のパターンとなっている。
【００２０】
テストパターン４０５は、ＲＧＢの画素値が（１２８、０、０）の組み合わせを有する、中間彩度の赤色パターンとなっている。テストパターン４０６は、ＲＧＢの画素値が（０、１２８、０）の組み合わせを有する、中間彩度の緑色パターンとなっている。テストパターン４０７は、ＲＧＢの画素値が（０、０、１２８）の組み合わせを有する、中間彩度の青色パターンとなっている。なお、図４には中間彩度のテストパターンとして上述したようにＲＧＢの画素値が（１２８、０、０）、（０、１２８、０）、（０、０、１２８）の３つを有する例が示されるが、これに代えて、あるいはこれに加えて上記画素値中の１２８の値を３２、６４、９６、…というように細かい階調間隔で変えた中間彩度のテストパターンを多く有するものとしてもよい。その場合、キャリブレーションに時間を要することとなるが、映像表示面１１２のより正確なトーンカーブ（階調特性）の情報を得ることができる。また、これらのテストパターンを全部用いてキャリブレーションを行うか、一部を用いてキャリブレーションを行うかを観察者が適宜選択可能に構成されていてもよい。
【００２１】
再び図１を参照して説明すると、観察者は操作ガイダンスに従い、接眼部１５０に眼を当ててリモートコントローラ１３０を映像表示面１１２に表示されるテストパターン映像又は基準白色板１１４に視準する。その際に観察者は視野調節機構１４０を操作して対物レンズ部１３４の画角調整を行い、ファインダ視野内に表示されているターゲットマークで囲われる領域がテストパターン映像の像又は基準白色板１１４の像それぞれの全体又は一部を捉えるように視野を調節する。観察者はまた、接眼部１５０を覗きながら焦点調節機構１３８を操作して、映像表示面１１２に表示されるテストパターンの像又は基準白色板１１４の像が鮮鋭に見えるように焦点調節を行う。その結果、カラーセンサ部１４２の受光面に形成される上記の像も鮮鋭なものとなる。このようにリモートコントローラ１３０が視野調節機構および焦点調節機構１３８を有することにより、観察者は表示画面１１２に近づいたりリモートコントローラ１３０を表示画面１１２に正対させたりする必要もない。従って、観察者は表示画面１１２に表示される映像を観察する位置から観察環境照明光の特性とモニタ表示特性とを遠隔操作によって計測することができる。
【００２２】
カラーセンサ部１４２は、３種以上、望ましくは６種以上の互いに異なる分光特性を有するカラーフィルタ等の分光要素で分光されたそれぞれの色の光が、それぞれの色の光用に備えられたセンサ（受光部）に導かれて、カラーセンサ部１４２に入射する光の分光特性を計測可能に構成される。カラーセンサ部１４２はまた、ＣＣＤやＣ−ＭＯＳセンサ等の、多画素からなる撮像素子を有し、３種以上、望ましくは６種以上の互いに異なる分光透過特性を有するカラーフィルタが各画素の受光部のところでモザイク状に配列された、単板式カラーイメージセンサで構成されるものであってもよい。あるいは、カラーセンサ部１４２に対物レンズ部１３４からの光が入射する部分にダイクロイックプリズム等の分光光学系を設けて互いに異なる分光帯域を有する複数の光に分割し、それぞれを互いに異なるモノクロイメージセンサに導く、多板式イメージセンサで構成されるものであってもよい。カラーセンサ部１４２は、ＸＹＺの三刺激値を生成可能なものとすることができるが、スペクトル値を生成可能なものとすることがより正確な色再現をする上では望ましい。カラーセンサ部１４２はまた、上述したターゲットマークで囲われる領域の光を入射するように構成されている。
【００２３】
センサ制御部１４４は、カラーセンサ部１４２で測色が開始されるタイミングを制御するとともにカラーセンサ部１４２から出力される信号を入力して処理を行い、映像表示面１１２に表示されるテストパターンおよび基準白色板１１４で反射された光についてそれぞれの色を計測し、その計測結果から観察環境照明光特性情報およびモニタ表示特性情報を生成して送信制御部１４６に出力する。これらの観察環境照明光特性情報およびモニタ表示特性情報は、送信制御部１４６から信号送信部１４８を介して映像信号処理装置１２０に出力される。より具体的には、観察者が基準白色板１１４を視準した状態でセンサ制御部１４４がカラーセンサ部１４２から信号を入力すると観察環境照明光の特性を得ることができる。また、観察者が映像表示面１１２に表示されるテストパターンを視準した状態でセンサ制御部１４４がカラーセンサ部１４２から信号を入力することを、テストパターン４０１、４０２、…、４０７が一つずつ表示されるたびに繰り返すことにより、モニタの表示特性、すなわちモニタ装置１１０が有する表示原色それぞれの色度値、表示階調特性、オフセット（暗黒を表示したときの輝度レベル）等を得ることができる。
【００２４】
図２は、図１に示される色変換パラメータ算出部１２５の内部構成を説明するブロック図である。色変換パラメータ算出部１２５は、入力映像プロファイル情報記憶部２０２と、入力γ（ガンマ）補正データ記憶部２０４と、観察環境照明光特性情報記憶部２０６と、照明変換パラメータ算出部２０８と、照明変換パラメータ記憶部２１０と、モニタ表示特性情報記憶部２１２と、モニタ色補正パラメータ算出部２１４と、モニタ色補正パラメータ記憶部２２２とを有する。
【００２５】
入力映像プロファイル情報記憶部２０２には、入力映像信号とともに外部から入力される入力映像プロファイル情報が記憶される。この入力映像プロファイル情報から、入力照明光スペクトル情報、入力分光感度特性情報、そしてスペクトルごとの入力γ特性情報が分離抽出され、入力照明光スペクトル情報および入力分光感度特性情報が照明変換パラメータ算出部２０８に、スペクトルごとの入力γ特性情報が入力γ補正データ記憶部２０４に出力される。
【００２６】
リモートコントローラ１３０より送出された信号中に含まれる観察環境照明光特性情報が信号受信部１２１で抽出され、観察環境照明光特性情報記憶部２０６に入力されて記憶され、その情報が照明変換パラメータ算出部２０８に出力される。照明変換パラメータ算出部２０８は、観察環境照明光特性情報記憶部２０６から入力した観察環境照明光特性情報と、入力映像プロファイル情報記憶部２０２から入力した入力照明光スペクトル情報および入力分光感度特性情報とから照明変換パラメータを算出し、照明変換パラメータ記憶部２１０に出力する。
【００２７】
リモートコントローラ１３０より送出された信号中に含まれるモニタ表示特性情報が信号受信部１２１で抽出されてモニタ表示特性情報記憶部２１２に入力されて記憶され、その情報がモニタ色補正パラメータ算出部２１４に出力される。モニタ色補正パラメータ算出部２１４は、オフセット補正データ算出部２１６と、トーンカーブ補正データ算出部２１８と、色変換データ算出部２２０とを有する。モニタ表示特性情報記憶部２１２から入力したモニタ表示特性情報に基づき、オフセット補正データ算出部２１６ではモニタ装置１１０のオフセット補正データが、トーンカーブ補正データ算出部２１８ではモニタ装置１１０のトーンカーブ補正データが、そして色変換データ算出部２２０ではモニタ装置１１０の表示原色それぞれの分光発光特性に応じた色変換データが、それぞれ算出されてモニタ色補正パラメータ記憶部２２２に出力される。
【００２８】
モニタ色補正パラメータ記憶部２２２は、オフセット補正データ記憶部２２４と、トーンカーブ補正データ記憶部２２６と、色変換データ記憶部２２８とを有する。モニタ色補正パラメータ算出部２１４から入力されたデータのうち、オフセット補正データはオフセットデータ記憶部２２４に、トーンカーブ補正データはトーンカーブ補正データ記憶部２２６に、そして色変換データは色変換データ記憶部２２８に、それぞれ記憶される。
【００２９】
図３は、図１に示される色変換部１２６の内部構成を説明するブロック図である。色変換部１２６は、色変換処理部３０２と、モニタ色変換部３０４とを有する。色変換処理部３０２では、入力γ補正データ記憶部２０４から入力される入力γ補正データに基づき、ルックアップ・テーブル（ＬＵＴ）１、ＬＵＴ２、…、ＬＵＴ  Ｎ  （以下、これらのＬＵＴを「ＬＵＴ  ３０８」と総称する）が生成されて記憶される。また、照明変換パラメータ記憶部２１０から入力される照明変換パラメータに基づいて、照明変換処理部３１０内に照明変換処理用のデータが生成されて記憶される。これらのＬＵＴ３０８および照明変換処理用のデータは、入力される多原色の入力映像信号（図３に示す例においてはＮバンド、すなわち原色数Ｎの多原色入力映像信号が示される）を色変換処理部３０２で処理する際に用いられる。
【００３０】
ところで、多原色の入力映像信号に基づいて高度の色再現を行う技術分野において、レンダリング照明による色再現の技術が知られている。この技術は、マルチスペクトルカメラで得られる映像データから、撮影機器の特性や撮影環境照明光の分光スペクトルに基づいて被写体の分光反射率を推定し、任意の分光強度を有する照明光のスペクトルデータを上記の分光反射率に乗じることにより、被写体が任意の照明光で照明されたときの色（被写体で反射された光のスペクトル）を再現（シミュレート）して表示する技術である。例えば、観察環境における照明光の分光スペクトルデータを上記分光反射率に乗じることにより、表示装置と、この表示装置に表示される映像を観察する観察者を取り巻く環境である観察環境に被写体が存在していたときの色を再現して表示することにより、観察者にとってその映像は非常にリアルなものとして感じられるようになる。本発明においては、或る分光特性を有する照明光を当てたときに被写体がどのような色合いに観えるかをシミュレートする際に、被写体の推定された分光反射率に対して適用する照明光をレンダリング照明光と称する。また、本発明においては、レンダリング照明光として観察環境照明光を適用してモニタ装置１１０の映像表示面１１２に映像を表示することにより、撮影時とは異なる、観察環境における照明光源下での被写体の色を再現する。
【００３１】
色変換処理部３０２における色変換処理の説明に戻ると、色変換処理部３０８内において、入力映像信号には先ずＬＵＴ３０８が適用され、多原色の入力映像信号のそれぞれに対していわゆるトーンカーブの補正がなされてカメラのレベル・ガンマ特性の影響が除去される。続いて、照明変換処理部３１０では入力映像信号に対してマトリクス演算がなされて照明変換処理が行われる。すなわち、入力照明光スペクトル情報（撮影時に被写体を照明していた光の分光特性に関連する情報）と、入力分光感度特性情報（撮影に用いた機器の入力分光感度特性情報）とに基づいて、入力映像信号から被写体の分光反射率推定映像データを求め、この分光反射率推定映像データに、観察環境照明光特性情報に基づくレンダリング照明光を適用する処理を行う。照明変換部３１０ではさらに、上述のようにして求められた照明変換後の映像データを、Ｘ、Ｙ、Ｚの測色値映像データに変換する処理を行う。このようにして得られたＸ、Ｙ、Ｚ測色値映像データはモニタ色変換部３０４に送出される。
【００３２】
モニタ色変換部３０４内の色分解演算部３０６では、モニタ色補正パラメータ記憶部２２２内の色変換データ記憶部２２８から出力される色変換データに基づき、色変換処理用のデータが生成されて記憶される。この色変換処理用のデータは、モニタ装置１１０が３原色の表示装置である場合には３×３のマトリクスとすることができる。モニタ装置１１０がＭ原色（Ｍ＞４）の表示装置である場合、上記色変換用のデータは、色変換処理部３０２から入力される測色値映像データから各原色用の表示映像信号を生成するためのルックアップ・テーブルとすることができる。モニタ色変換部３０４ではさらに、モニタ色補正パラメータ記憶部２２２内のオフセット補正データ記憶部２２４およびトーンカーブ補正データ記憶部２２６から入力されるオフセット補正データおよびトーンカーブ補正データに基づき、ルックアップ・テーブル（ＬＵＴ）１、ＬＵＴ２、…、ＬＵＴ  Ｍ  （以下、これらのＬＵＴを「ＬＵＴ  ３１２」と総称する）が生成される。ＬＵＴ３１２は、モニタ装置１１０の映像表示面１１２のガンマ特性およびオフセットを補正するために用いられる。
【００３３】
図５は、リモートコントローラ１３０で実行される観察環境照明光特性およびモニタ表示特性の計測処理手順を概略的に示すフローチャートである。以下では、リモートコントローラ１３０で実行される観察環境照明光特性およびモニタ表示特性を計測するための動作モードをキャリブレーションモードと称する。また、図６は、映像信号処理装置１２０で実行されるキャリブレーションモードの処理手順を概略的に示すフローチャートである。リモートコントローラ１３０と映像信号処理装置１２０とは、互いに連係し合ってキャリブレーションモードを実行するので、以下では図５、図６の双方を参照しながらリモートコントローラ１３０および映像信号処理装置１２０の双方で行われる処理を並列的に説明する。
【００３４】
リモートコントローラ１３０はＳ５０１において、観察者がユーザインターフェース部１３２のキャリブレーションモード実行開始スイッチを押したことを検知し、続くＳ５０２において映像信号処理装置１２０にキャリブレーションモード実行開始コマンドを送信する。
【００３５】
映像信号処理装置１２０はＳ６０１において、リモートコントローラ１３０から上述のように発せられたキャリブレーションモード実行開始コマンドを受信する。Ｓ６０２において映像信号処理装置１２０は、基準白色板「視準」の操作ガイダンスを表示する。すなわち、映像信号処理装置１２０は、テストパターン映像生成部１２２で生成されるテストパターン映像や操作ガイダンス等が映像表示面１１２に表示されるように表示映像切替部１２４を切り替え、観察者に対して、リモートコントローラ１３０の接眼部１５０に眼を当てて基準白色板１１４を視準し、視野内のターゲットマーク内一杯に基準白色板１１４の像が捉えられるように視野調整機構１４０を操作し、続いて焦点調節機構１３８を操作して基準白色板１１４に焦点が合うようにしてからユーザインターフェース部１３２内にある計測開始スイッチを押す旨の操作ガイダンスを表示する。このとき映像表示面１１２に表示される上記操作ガイダンスは、輝度を低く抑えた表示とすることが望ましい。何故ならば、基準白色板１１４で反射された光をリモートコントローラ１３０で計測する際に、映像表示面１１２から出射される光の影響を抑制することが精度の高い計測をする上で望ましいからである。あるいは、観察者がリモートコントローラ１３０を操作して計測を行っている間、映像表示面１１２に何も表示しないようにしてもよい。続くＳ６０３において映像信号処理装置１２０は、リモートコントローラ１３０から観察環境照明光特性情報が発せられるまでの間、ポーリング状態を維持する。
【００３６】
Ｓ５０３においてリモートコントローラ１３０は、観察者がユーザインターフェース部１３２内にある観察環境照明光特性計測開始スイッチを操作したかどうかを判定し、この判定が肯定されるまでポーリングする。観察者が上記操作ガイダンスに従って、リモートコントローラ１３０の接眼部１５０に眼を当てて基準白色板１１４を視準し、視野内のターゲットマーク内一杯に基準白色板１１４の像が捉えられるように視野調整機構１４０を操作し、続いて焦点調節機構１３８を操作して基準白色板１１４に焦点が合うようにしてからユーザインターフェース部１３２内にある計測開始スイッチを押すと、この操作がＳ５０３で検出され、リモートコントローラ１３０はＳ５０４において観察環境照明光特性計測の処理を実行する。
【００３７】
Ｓ５０５においてリモートコントローラ１３０は、Ｓ５０４での計測結果に基づいて、観察環境照明光特性情報を生成し、続くＳ５０６において観察環境照明光特性情報を映像信号処理装置１２０に送出する。その後リモートコントローラ１３０は、Ｓ５０７において、観察者がユーザインターフェース部１３２内にあるモニタ表示特性計測開始スイッチを操作したかどうかを判定し、この判定が肯定されるまでポーリングする。
【００３８】
Ｓ６０３において上述のようにポーリング状態にある映像信号処理装置１２０は、リモートコントローラ１３０から送出される観察環境照明光特性情報を入力し、続くＳ６０４において観察環境照明光特性情報を観察環境照明光特性情報記憶部２０６内に記憶する。Ｓ６０５において映像信号処理装置１２０は、図４を参照して説明したようなテストパターンのうちの一つを映像表示面１１２に表示し、Ｓ６０６においてテストパターン「視準」の操作ガイダンスを表示する。すなわち、映像信号処理装置１２０は、観察者に対して、リモートコントローラ１３０の接眼部１５０に眼を当てて映像表示面１１２に表示されるテストパターンを視準し、視野内のターゲットマーク内一杯にテストパターンの像が捉えられるように視野調整機構１４０を操作し、続いて焦点調節機構１３８を操作してテストパターンに焦点が合うようにしてからユーザインターフェース部１３２内にある計測開始スイッチを押す旨の操作ガイダンスを表示する。続くＳ６０７において映像信号処理装置１２０は、リモートコントローラ１３０から「計測完了」の信号が発せられるまでの間、ポーリング状態を維持する。
【００３９】
観察者が上記操作ガイダンスに従って、リモートコントローラ１３０の接眼部１５０に眼を当ててテストパターンを視準し、視野内のターゲットマーク内一杯にテストパターンの像が捉えられるように視野調整機構１４０を操作し、続いて焦点調節機構１３８を操作してテストパターンに焦点が合うようにしてからユーザインターフェース部１３２内にある計測開始スイッチを押すと、この操作がＳ５０７で検出され、リモートコントローラ１３０はＳ５０８においてモニタテストパターン色計測の処理を実行する。モニタテストパターン色計測の処理が完了すると、リモートコントローラ１３０はＳ５０９において映像信号処理装置１２０に対して「計測完了」の信号を出力する。リモートコントローラ１３０はＳ５１０において、すべてのテストパターン（図４におけるテストパターン４０１、４０２、…、４０７）の色計測が完了したか否かを判定し、否定された場合にはＳ５０７に戻って上述した処理を繰り返す。
【００４０】
Ｓ５０９でリモートコントローラ１３０から上述のように「計測完了」の信号が出力されるのに伴い、映像信号処理装置１２０によるＳ６０７の判定が肯定される。Ｓ６０８において映像信号処理装置１２０は、すべてのテストパターン（図４におけるテストパターン４０１、４０２、…、４０７）の表示が完了したか否かを判定し、否定された場合にはＳ６０５に戻って上述した処理を繰り返し、別のテストパターンの表示を行う。
【００４１】
上述したリモートコントローラ１３０によるＳ５０７からＳ５１０までの処理と、映像信号処理装置１２０によるＳ６０５からＳ６０８までの処理とが繰り返し行われることにより、図４に示されるテストパターン４０１、４０２、…、４０７が映像表示面１１２に順次表示されて色の計測が行われる。リモートコントローラ１３０はＳ５１１において、上述した色の計測結果に基づいてモニタ表示特性情報を生成し、Ｓ５１２においてモニタ表示特性情報を映像信号処理装置１２０に送信する。
【００４２】
映像信号処理装置１２０はＳ６０９において、リモートコントローラ１３０から送信されるモニタ表示特性情報を受信し、続くＳ６１０においてこのモニタ表示特性情報をモニタ特性情報記憶部２１２に記憶する。
【００４３】
映像信号処理装置１２０は先に説明した入力照明光スペクトル情報、入力分光感度特性情報、そして観察環境照明光特性情報に基づき、Ｓ６１１において照明変換パラメータを算出し、Ｓ６１２において照明変換パラメータを照明変換パラメータ記憶部２１０に記憶する。Ｓ６１３において映像信号処理装置１２０は、モニタ表示特性情報記憶部２１２に記憶されるモニタ表示特性情報に基づき、モニタ色補正パラメータを算出し、続くＳ６１４において、上記モニタ色補正パラメータをモニタ色補正パラメータ記憶部２２２に記憶する。
【００４４】
以上に説明したキャリブレーションモードを実行して得られた照明変換パラメータおよびモニタ色補正パラメータに基づき、映像信号処理装置１２０は入力映像信号に色変換の処理を施してモニタ装置１１０に出力する。以上のようにして映像表示面１１２に表示される映像は、より正確な色再現がなされ、より現実味を帯びたものとなる。このとき、上述したように、観察者はモニタ装置１１０の映像表示面１１２に表示される映像を観察する位置から上記キャリブレーションモードを実行することが可能となるので、より手軽にキャリブレーションを行うことができ、かつ視野角特性を有するモニタ装置に対しては、視角に応じたキャリブレーションを行うことが可能となるので、モニタ装置１１０（映像表示面１１２）と観察者との位置関係によらず、正確な色再現を行うことが可能となる。また、リモートコントローラ１３０が対物レンズ部１３４、ビームスプリッタ１３６、接眼部１５０などで構成されるビューファインダ部を有することにより、モニタ装置１１０および基準白色板１１４から離れた位置から計測を行う際に、正確な視準を行うことができるので、正しいキャリブレーションを行うことが可能となる。
【００４５】
以上では、観察者がリモートコントローラ１３０を操作してキャリブレーションモードが実行される際に、観察環境照明光特性情報とモニタ表示特性情報とが同時に得られる例について説明したが、観察環境照明光の特性のみ、あるいはモニタ表示特性のみを計測することが可能に構成されていてもよい。その場合観察者は、観察環境照明光が外光から室内光へと変化した場合、あるいは部屋の照明を蛍光灯からタングステン灯に切り替えた場合などに対応して観察環境照明光特性情報のみを得るキャリブレーションを実行することも可能である。また、リモートコントローラ１３０内においてＳ５０５の処理手順で行われる観察環境照明光特性情報の生成の処理、Ｓ５１１の処理手順で行われるモニタ表示特性情報生成の処理に関しては、映像信号処理装置１２０の側で行うようにしてもよい。その場合、リモートコントローラ１３０のカラーセンサ部１４２で検出された観察環境照明光の色および映像表示面１１２に表示されるテストパターンの色に関する情報がリモートコントローラ１３０から映像信号処理装置１２０に送出される。
【００４６】
−  第２の実施の形態  −
図７は、本発明の第２の実施の形態に係る映像表示システム１００Ａの全体構成を概略的に示すブロック図である。図７に示す映像表示システム１００Ａにおいて、図１に示す第１の実施の形態に係る映像表示システム１００が有するものと同様の構成要素には同じ符号を付してその説明を省略し、第１の実施の形態との差異を中心に説明をする。また、機能的に類似している構成要素に対しては第１の実施の形態を説明する上記各図に示されるものと同じ番号にアルファベットを付加したものを参照符号として付している。
【００４７】
第１の実施の形態に係る映像表示システム１００においては、モニタ装置１１０の上部に基準白色板１１４が設けられていて、観察環境照明光特性を得る場合には観察者がリモートコントローラ１３０の接眼部１５０に眼を当てて基準白色板１１４を視準するものであった。これに対し、第２の実施の形態に係る映像表示システム１００Ａでは、モニタ装置１１０の上部に照明センサ部７０２が備えられ、観察環境照明光特性はこの照明センサ部７０２で計測される。従ってリモートコントローラ１３０Ａの側で計測されるのはモニタ表示特性のみである。照明センサ部７０２は、乳白色半透明の半球状のカバー中に収容されたカラーセンサ部を有する。このカラーセンサ部は、第１の実施の形態で説明したカラーセンサ部１４２と類似の構成とすることができる。
【００４８】
映像信号処理装置１２０Ａは照明センサ制御部７０４を有し、照明センサ部７０２と照明センサ制御部７０４とは有線又は無線の方式で接続されている。この照明センサ制御部７０４は、信号受信部１２１および色変換パラメータ算出部１２５とも接続されている。
【００４９】
モニタ装置１１０の映像表示面１１２に表示される映像を観察する観察者がリモートコントローラ１３０Ａのユーザインターフェース部１３２中に備えられる観察環境照明光特性計測スイッチを操作すると、観察環境照明光特性計測コマンドを含む信号がリモートコントローラ１３０Ａの信号送信部１４８より映像信号処理装置１２０Ａの信号受信部１２１に送信される。信号受信部１２１はこの信号を受け、観察環境照明光計測開始指の指令信号を照明センサ制御部７０４に出力する。この指令信号を受けて照明センサ制御部７０４は照明センサ部７０２で計測して得られた観察環境照明光特性に関連する情報を色変換パラメータ算出部１２５へ出力する。以下では、映像信号処理装置１２０Ａで実行される、観察環境照明光特性を計測する動作モードを「第一キャリブレーションモード」と称する。
【００５０】
一方、観察者がリモートコントローラ１３０Ａのユーザインターフェース部１３２に備えられるモニタ表示特性計測スイッチを操作すると、モニタ表示特性計測コマンドを含む信号がリモートコントローラ１３０Ａの信号送信部１４８より映像信号処理装置１２０Ａの信号受信部１２１に送信される。信号受信部１２１はこの信号を受け、第１の実施の形態で説明したのと同様にリモートコントローラ１３０Ａの操作ガイダンスやテストパターンを映像表示面に表示するための映像信号をモニタ装置１１０に出力するとともにリモートコントローラ１３０Ａからモニタ表示特性の計測結果を入力する。以下では、映像信号処理装置１２０Ａで実行される、モニタ表示特性を計測する動作モードを「第二キャリブレーションモード」と称する。
【００５１】
図８（ａ）は、リモートコントローラ１３０Ａで実行される観察環境照明光特性計測コマンド送信手順を、そして図８（ｂ）はリモートコントローラ１３０Ａで実行されるモニタ表示特性の計測処理手順を、それぞれ概略的に示すフローチャートである。また、図９（ａ）は、映像信号処理装置１２０Ａで実行される観察環境照明光特性を計測するモード（第一キャリブレーションモード）の処理手順を、図９（ｂ）は映像信号処理装置１２０Ａで実行されるモニタ表示特性を計測するモード（第二キャリブレーションモード）の処理手順を、それぞれ概略的に示すフローチャートである。第１の実施の形態と同様に、リモートコントローラ１３０Ａと映像信号処理装置１２０Ａとは、互いに連係し合ってキャリブレーションモードを実行するので、以下では図８、図９の双方を参照しながらリモートコントローラ１３０Ａおよび映像信号処理装置１２０Ａの双方で行われる処理を並列的に説明する。
【００５２】
リモートコントローラ１３０ＡはＳ８０１において、観察者がユーザインターフェース部１３２の第一キャリブレーションモード実行開始スイッチを押したことを検知し、続くＳ８０２において映像信号処理装置１２０Ａに第一キャリブレーションモード実行開始コマンドを送信し、処理を終える。
【００５３】
映像信号処理装置１２０ＡはＳ９０１において、リモートコントローラ１３０Ａから上述のように発せられた第一キャリブレーションモード実行開始コマンドを受信する。Ｓ９０２において映像信号処理装置１２０Ａ内の照明センサ制御部７０４は照明センサ部７０２から観察環境照明光特性の計測結果を入力する。
【００５４】
Ｓ９０３において映像信号処理装置１２０Ａは、照明センサ部７０２から出力された観察環境照明光特性の計測結果に基づく観察環境照明光特性情報を観察環境照明光特性情報記憶部２０６（図２）内に記憶する。映像信号処理装置１２０Ａは、入力映像プロファイル情報中から抽出した入力照明光スペクトル情報および入力分光感度特性情報と、Ｓ９０３で記憶した観察環境照明光特性情報に基づき、Ｓ９０４において照明変換パラメータを算出し、Ｓ９０５において照明変換パラメータを照明変換パラメータ記憶部２１０に記憶し、処理を終える。
【００５５】
続いて第二キャリブレーションモードについて図８（ｂ）、図９（ｂ）を参照しながら説明をする。
【００５６】
リモートコントローラ１３０ＡはＳ８０３において、観察者がユーザインターフェース部１３２の第二キャリブレーションモード実行開始スイッチを押したことを検知し、続くＳ８０４において映像信号処理装置１２０Ａに第二キャリブレーションモード実行開始コマンドを送信する。その後リモートコントローラ１３０Ａは、Ｓ８０５において、観察者がユーザインターフェース部１３２内にあるモニタ表示特性計測開始スイッチを操作したかどうかを判定し、この判定が肯定されるまでポーリングする。
【００５７】
映像信号処理装置１２０ＡはＳ９０６において、リモートコントローラ１３０Ａから上述のように発せられた第二キャリブレーションモード実行開始コマンドを受信する。Ｓ９０７において映像信号処理装置１２０Ａは、図４を参照して説明したようなテストパターンのうちの一つを映像表示面１１２に表示し、Ｓ９０８においてテストパターン「視準」の操作ガイダンスを表示する。すなわち、映像信号処理装置１２０Ａは、観察者に対して、リモートコントローラ１３０Ａの接眼部１５０に眼を当てて映像表示面１１２に表示されるテストパターンを視準し、視野内のターゲットマーク内一杯にテストパターンの像が捉えられるように視野調整機構１４０を操作し、続いて焦点調節機構１３８を操作してテストパターンに焦点が合うようにしてからユーザインターフェース部１３２内にある計測開始スイッチを押す旨の操作ガイダンスを表示する。続くＳ９０９において映像信号処理装置１２０Ａは、リモートコントローラ１３０Ａから「計測完了」の信号が発せられるまでの間、ポーリング状態を維持する。
【００５８】
観察者が上記操作ガイダンスに従って、リモートコントローラ１３０Ａの接眼部１５０に眼を当ててテストパターンを視準し、視野内のターゲットマーク内一杯にテストパターンの像が捉えられるように視野調整機構１４０を操作し、続いて焦点調節機構１３８を操作してテストパターンに焦点が合うようにしてからユーザインターフェース部１３２内にある計測開始スイッチを押すと、この操作がＳ８０５で検出され、リモートコントローラ１３０ＡはＳ８０６においてモニタテストパターン色計測の処理を実行する。モニタテストパターン色計測の処理が完了すると、リモートコントローラ１３０ＡはＳ８０７において映像信号処理装置１２０Ａに対して「計測完了」の信号を出力する。リモートコントローラ１３０ＡはＳ８０８において、すべてのテストパターン（図４におけるテストパターン４０１、４０２、…、４０７）の色計測が完了したか否かを判定し、否定された場合にはＳ８０５に戻って上述した処理を繰り返す。
【００５９】
Ｓ８０７でリモートコントローラ１３０Ａから上述のように「計測完了」の信号が出力されるのに伴い、映像信号処理装置１２０ＡによるＳ９０９の判定が肯定される。Ｓ９１０において映像信号処理装置１２０Ａは、すべてのテストパターン（図４におけるテストパターン４０１、４０２、…、４０７）の表示が完了したか否かを判定し、否定された場合にはＳ９０７に戻って上述した処理を繰り返し、別のテストパターンの表示を行う。
【００６０】
上述したリモートコントローラ１３０ＡによるＳ８０５からＳ８０８までの処理と、映像信号処理装置１２０ＡによるＳ９０７からＳ９１０までの処理とが繰り返し行われることにより、図４に示されるテストパターン４０１、４０２、…、４０７が映像表示面１１２に順次表示されて色の計測が行われる。リモートコントローラ１３０ＡはＳ８０９において、上述した色の計測結果に基づいてモニタ表示特性情報を生成し、Ｓ８１０においてモニタ表示特性情報を映像信号処理装置１２０Ａに送信する。
【００６１】
映像信号処理装置１２０ＡはＳ９１１において、リモートコントローラ１３０Ａから送信されるモニタ表示特性情報を受信し、続くＳ９１２においてこのモニタ表示特性情報をモニタ特性情報記憶部２１２に記憶する。
【００６２】
Ｓ９１３において映像信号処理装置１２０Ａは、モニタ表示特性情報記憶部２１２に記憶されるモニタ表示特性情報に基づき、モニタ色補正パラメータを算出し、続くＳ９１４において、上記モニタ色補正パラメータをモニタ色補正パラメータ記憶部２２２に記憶する。
【００６３】
以上に説明した第一および第二キャリブレーションモードを実行して得られた照明変換パラメータおよびモニタ色補正パラメータに基づき、映像信号処理装置１２０Ａは入力映像信号に色変換の処理を施してモニタ装置１１０に出力する。
【００６４】
以上に説明したように、観察環境照明光特性を計測して照明変換パラメータを求める第一キャリブレーションモードにおいては、リモートコントローラ１３０Ａとは別体に設けられる照明センサ部７０２で観察環境照明光特性が計測されるので、観察者はリモートコントローラ１３０Ａの接眼部１５０に眼を当てる必要はなく、ユーザインターフェース部１３２のスイッチを押すだけでよい。従って、観察者は手軽に観察環境照明光特性の計測を行うことができる。また、第１の実施の形態では基準白色板１１４で反射された光を検出して観察環境照明光特性の計測を行っていたのに対し、第二の実施の形態における照明センサ部７０２は、この照明センサ部７０２に直接入射する観察環境照明光を計測でき、また入射角を大きくとることが可能なので比較的多くの光量の光を照明センサ部７０２内に導くことができ、観察環境が比較的暗い状況であっても正確な計測をすることが可能となる。
【００６５】
以上では、第一キャリブレーションモードおよび第二キャリブレーションモードが互いに独立して実行される例について説明したが、観察者がユーザインターフェース部１３２内にあるキャリブレーションモード実行開始スイッチを押すのに応じてこれら第一および第二のキャリブレーションモードが連続して実行されるものであってもよい。さらにまた、観察環境照明光特性の計測は、観察者がリモートコントローラ１３０Ａを操作しなくても映像信号処理装置１２０Ａ本体の側で予め定められたタイミングで自動的に行われるものであってもよい。
【００６６】
また、リモートコントローラ１３０Ａ内においてＳ８０９の処理手順で行われるモニタ表示特性情報生成の処理に関しては、映像信号処理装置１２０Ａの側で行うようにしてもよい。その場合、リモートコントローラ１３０Ａのカラーセンサ部１４２で検出された映像表示面１１２に表示されるテストパターンの色に関する情報はリモートコントローラ１３０Ａから映像信号処理装置１２０Ａに送出される。
【００６７】
−  第３の実施の形態  −
図１０は、本発明の第３の実施の形態に係る映像表示システム１００Ｂの全体構成を概略的に示すブロック図である。また、図１１は、図１０に示される色変換パラメータ算出部１２５Ａの内部構成を説明するブロック図である。図１０に示す映像表示システム１００Ｂおよび図１１に示す色変換パラメータ算出部１２５Ａにおいて、第１あるいは第２の実施の形態に係る映像表示システム１００が有するものと同様の構成要素には同じ符号を付してその説明を省略し、第１あるいは第２の実施の形態との差異を中心に説明をする。また、機能的に類似している構成要素に対しては第１あるいは第２の実施の形態を説明する上記各図に示されるものと同じ番号にアルファベットを付加したものを参照符号として付している。
【００６８】
第１および第２の実施の形態において、リモートコントローラ１３０又は１３０Ａはファインダ光学系を有していて、観察者が接眼部１５０に眼を当ててリモートコントローラ１３０又は１３０Ａを計測対象に向けて視準するものであった。これに対し、第３の実施の形態に係る映像表示システム１００Ｂにおいてリモートコントローラ１３０Ｂはファインダ光学系を有しておらず、代わりに小型の表示装置１００２を有する。また、対物レンズ部１３４には自動焦点調節機構１３８Ａが備えられている。
【００６９】
イメージセンサ部１００８は、ＣＣＤやＣ−ＭＯＳセンサ等の、多画素からなる撮像素子（二次元イメージセンサ）であり、３種以上、望ましくは６種以上の互いに異なる分光透過特性を有するカラーフィルタが各画素の受光部のところでモザイク状に配列された、単板式カラーイメージセンサで構成されるものとすることができる。あるいは、イメージセンサ部１００８に対物レンズ部１３４からの光が入射する部分にダイクロイックプリズム等の分光光学系を設けて互いに異なる分光帯域を有する複数の光に分割し、それぞれを互いに異なるモノクロイメージセンサに導く、多板式イメージセンサで構成されるものであってもよい。イメージセンサ部１００８は、ＸＹＺの三刺激値の画像データを生成可能なものとすることができるが、スペクトル画像データを生成可能なものとすることがより正確な色の計測を可能とし、ひいては映像表示面１１２に表示される映像の正確な色再現をする上で望ましい。
【００７０】
制御部１００４が有する複数の機能について説明をする。制御部１００４は、第１の機能として、イメージセンサ部１００８の撮像動作を制御するとともにイメージセンサ部１００８から出力される信号を処理し、処理後の信号を表示制御部１００６に出力する機能を有する。制御部１００４から出力された信号は表示制御部１００６を介して表示装置１００２に出力され、これにより、対物レンズ部１３４によってイメージセンサ部１００８の撮像面上に形成された像の映像がいわゆるスルー画像（ライブビュー）として表示装置１００２に表示される。このとき制御部１００４は、対物レンズ部１３４によってイメージセンサ部１００８の撮像面上に形成された像の結像状態をイメージセンサ部１００８から出力される信号を処理して検出し、非合焦状態にあると判定される場合には自動焦点調節機構１３８Ａを制御して合焦状態となるように対物レンズ部１３４をフォーカス駆動する。制御部１００４はまた、第２の機能として、撮影者によるユーザインターフェース部１３２の操作を検出して、その操作に応じた動作モードで作動するようにリモートコントローラ１３０Ｂを制御するとともにイメージセンサ部１００８から出力される信号に基づく映像信号や制御信号等を、送信制御部１４６Ａおよび信号送信部１４８を介して映像信号処理装置１２０Ｂに送出する機能を有する。
【００７１】
図１１を参照して色変換パラメータ算出部１２５Ａの内部構成を説明する。色変換パラメータ算出部１２５Ａは、画像認識・計測値抽出部１１００を有する点が第１および第２の実施の形態に係る映像表示システムに含まれる色変換パラメータ算出部１２５と異なる。画像認識・計測値抽出部１１００は、リモートコントローラ１３０Ｂから送出される映像信号を、信号受信部１２１を介して入力する。
【００７２】
ここで、観察者がユーザインターフェース部１３２を操作して映像信号処理装置１２０Ｂがキャリブレーションモードに設定されたときに映像表示面１１２に表示されるテストパターンの一例を図１２（ａ）に示す。図１２（ａ）に示されるテストパターン１２００は、図４に示されるテストパターン４０１、４０２、…、４０７と異なり、複数のテストパターンが一つの表示映像中に含まれている。一例として、モニタ装置１１０の原色（一例としてＲ、Ｇ、Ｂ）計測用カラーパッチ１２０２、１２０４、１２０６、オフセット計測用のカラーパッチ１２１２、焦点調節を容易にする高コントラストパターン１２０８、１２１０、階調特性計測用パターン１２１４などが一つの表示映像中に含まれる。
【００７３】
カラーパッチ１２０２、１２０４、１２０６それぞれを形成する画素の画素値（Ｒ、Ｇ、Ｂ）は、モニタ装置１１０が２４ビットカラーのＲＧＢ表示装置である場合、（２５５、０、０）、（０、２５５、０）、（０、０、２５５）とすることができる。これによって最も高い彩度を有するＲ、Ｇ、Ｂのカラーパッチ１２０２、１２０４、１２０６を表示することができる。カラーパッチ１２１２を形成する画素の画素値（Ｒ、Ｇ、Ｂ）は、（０、０、０）とすることができる。これにより、無信号時のダーク表示レベルをカラーパッチ１２１２で再現することができる。自動焦点調節機構１３８Ａによる焦点調節を容易にする高コントラストパターン１２０８、１２１０の一例としては、図１２（ａ）に示されるような縦縞・横縞とすることができる。あるいはパターンを形成する領域を二分割し、一方を白、すなわち（Ｒ、Ｇ、Ｂ）＝（２５５、２５５、２５５）として他方を黒、すなわち（Ｒ、Ｇ、Ｂ）＝（０、０、０）としてもよいし、白、黒の矩形状パターンが交互に配列されて市松模様が形成されるようにしてもよい。階調特性計測用パターン１２１４は、無彩色のグラデーションパターンあるいは所定の階調間隔を有する複数のパッチの配列としてもよいし、Ｒ、Ｇ、Ｂそれぞれごとにグラデーションパターンあるいは所定の階調間隔を有する複数のパッチの配列を独立して設けてもよい。
【００７４】
観察者がリモートコントローラ１３０Ｂのユーザインターフェース部１３２を操作してキャリブレーションモードに設定することにより、映像表示面１１２には図１２（ａ）に示されるようなテストパターン映像が表示される。観察者はリモートコントローラ１３０Ｂに備えられる表示装置１００２を見ながら対物レンズ部１３４をモニタ装置１１０に向けることにより、図１２（ｂ）に例示されるような、テストパターンの表示されるモニタ装置１１０全体の映像１２１６がリモートコントローラ１３０Ｂによって捉えられ、表示装置１００２に表示されるとともに、この映像１２１６を含む映像信号が映像信号処理装置１２０Ｂに送出される。また、観察者がリモートコントローラ１３０Ｂの視野調整機構１４０を操作してズームインし、対物レンズ部１３４を基準白色板１１４に向けることにより、基準白色板１１４全体の映像がリモートコントローラ１３０Ｂによって捉えられ、この映像を含む映像信号が映像信号処理装置１２０Ｂに送出される。
【００７５】
色変換パラメータ算出部１２５Ａの説明に戻り、画像認識・計測値抽出部１１００は、上述のようにリモートコントローラ１３０Ｂから送出される映像信号に画像処理をし、画像認識の技術を用いてカラーパッチ１２０２、１２０４、１２０６、１２１２や階調特性計測用パターン１２１４の映像部分、あるいは基準白色板１１４の映像部分を抽出し、抽出したそれらの映像部分をもとに、モニタ表示特性あるいは観察環境照明光特性を計測する。得られた計測結果のうち、観察環境照明光特性は観察環境照明光特性情報記憶部２０６に出力されて記憶され、モニタ表示特性はモニタ表示特性情報記憶部２１２に出力されて記憶される。
【００７６】
以上のように第３の実施の形態に係る映像表示システム１００Ｂでは、第１又は第２の実施の形態で説明したような、複数のテストパターンが順次切り替えられて表示されるたびに観察者が接眼部１５０に眼を当てて視準し、色計測を行う操作をする必要がなく、一回の計測操作を行うだけでよい。また、表示装置１００２に表示される映像を観ながらリモートコントローラ１３０Ｂの操作を行うことができるので、接眼部に眼をあてるといった操作をすることなく、キャリブレーションモードを実行することが可能となる。
【００７７】
図１３（ａ）は、リモートコントローラ１３０Ｂで実行される観察環境照明光特性計測コマンド送信手順を、そして図１３（ｂ）はリモートコントローラ１３０Ｂで実行されるモニタ表示特性の計測処理手順を、それぞれ概略的に示すフローチャートである。また、図１４（ａ）は、映像信号処理装置１２０Ｂで実行される観察環境照明光特性を計測するモード（第一キャリブレーションモード）の処理手順を、図１４（ｂ）は映像信号処理装置１２０Ｂで実行されるモニタ表示特性を計測するモード（第二キャリブレーションモード）の処理手順を、それぞれ概略的に示すフローチャートである。他の実施の形態と同様に、リモートコントローラ１３０Ｂと映像信号処理装置１２０Ｂとは、互いに連係し合ってキャリブレーションモードを実行するので、以下では図１３、図１４の双方を参照しながらリモートコントローラ１３０Ｂおよび映像信号処理装置１２０Ｂの双方で行われる処理を並列的に説明する。
【００７８】
リモートコントローラ１３０ＢはＳ１３０１において、観察者がユーザインターフェース部１３２の第一キャリブレーションモード実行開始スイッチを押したことを検知し、続くＳ１３０２において映像信号処理装置１２０Ｂに第一キャリブレーションモード開始コマンドを送信する。続くＳ１３０３においてリモートコントローラ１３０Ｂは表示装置１００２をオンにして映像を表示可能な状態にする。その後リモートコントローラ１３０Ｂは、Ｓ１３０４において、観察者がユーザインターフェース部１３２内にある基準白色板映像キャプチャ（取り込み）スイッチを操作したかどうかを判定し、この判定が肯定されるまでポーリングする。
【００７９】
映像信号処理装置１２０ＢはＳ１４０１において、リモートコントローラ１３０Ｂから上述のように発せられた第一キャリブレーションモード実行開始コマンドを受信する。Ｓ１４０２において映像信号処理装置１２０Ｂは、基準白色板映像キャプチャの操作ガイダンスを表示する。すなわち、映像信号処理装置１２０Ｂは、テストパターン映像生成部１２２で生成されるテストパターン映像や操作ガイダンス等が映像表示面１１２に表示されるように表示映像切替部１２４を切り替え、観察者に対して、リモートコントローラ１３０Ｂの対物レンズ部１３４を基準白色板１１４に向けて、表示装置１００２の表示範囲一杯に基準白色板１１４の映像が表示されるように視野調整機構１４０を操作してからユーザインターフェース部１３２内にある映像キャプチャスイッチを押す旨の操作ガイダンスを表示する。このとき映像表示面１１２に表示される上記操作ガイダンスは、輝度を低く抑えた表示とすることが望ましい。理由は第１の実施の形態でも説明したのと同様で、基準白色板１１４の映像をキャプチャする際に、映像表示面１１２から出射される光の影響を抑制することが精度の高い計測をする上で望ましいからである。
【００８０】
観察者は上述した操作ガイダンスに従ってリモートコントローラ１３０Ｂを操作し、ユーザインターフェース部１３２内にある映像キャプチャスイッチを押す。するとＳ１３０４の判定が肯定され、Ｓ１３０５でリモートコントローラ１３０Ｂは自動焦点調節機構１３８Ａを制御して基準白色板１１４の像が鮮鋭となるように対物レンズ部１３４を駆動する。続くＳ１３０６においてリモートコントローラ１３０Ｂは、基準白色板１１４の映像をキャプチャし、続くＳ１３０７で送信制御部１４６Ａ、信号送信部１４８を介して映像信号処理装置１２０Ｂに基準白色板１１４の映像信号を出力し、Ｓ１３０８で表示装置１００２をオフにして第一キャリブレーションモードの処理を終える。
【００８１】
映像信号処理装置１２０ＢはＳ１４０３において、上述した基準白色板１１４の映像信号を、信号受信部１２１Ａを介して入力し、続くＳ１４０４において画像認識の技術を用いて基準白色板１１４で反射された光の分光特性から観察環境照明光特性を求める。Ｓ１４０５において映像信号処理装置１２０Ｂは、上記観察環境照明光特性に基づく観察環境照明光特性情報を観察環境照明光特性情報記憶部２０６に記憶する。映像信号処理装置１２０Ｂは、入力映像プロファイル情報中から抽出した入力照明光スペクトル情報および入力分光感度特性情報と、Ｓ１４０５で記憶した観察環境照明光特性情報とに基づき、Ｓ１４０６において照明変換パラメータを算出し、Ｓ１４０７において照明変換パラメータを照明変換パラメータ記憶部２１０に記憶し、第一キャリブレーションモードの処理を終える。
【００８２】
続いて第二キャリブレーションモードについて図１３（ｂ）、図１４（ｂ）を参照しながら説明をする。
【００８３】
リモートコントローラ１３０ＢはＳ１３１０において、観察者がユーザインターフェース部１３２の第二キャリブレーションモード実行開始スイッチを押したことを検知し、続くＳ１３１１において映像信号処理装置１２０Ｂに第二キャリブレーションモード実行開始コマンドを送信する。続くＳ１３１２においてリモートコントローラ１３０Ｂは表示装置１００２をオンにして映像を表示可能な状態にする。その後リモートコントローラ１３０Ｂは、Ｓ１３１３において、観察者がユーザインターフェース部１３２内にあるモニタテストパターン映像キャプチャスイッチを操作したかどうかを判定し、この判定が肯定されるまでポーリングする。
【００８４】
映像信号処理装置１２０ＢはＳ１４１０において、リモートコントローラ１３０Ｂから上述のように発せられた第二キャリブレーションモード実行開始コマンドを受信（入力）する。Ｓ１４１１において映像信号処理装置１２０Ｂは、テストパターン映像キャプチャの操作ガイダンスを表示する。すなわち、映像信号処理装置１２０Ｂは、テストパターン映像生成部１２２で生成されるテストパターン映像や操作ガイダンス等が映像表示面１１２に表示されるように表示映像切替部１２４を切り替え、観察者に対して、リモートコントローラ１３０Ｂの対物レンズ部１３４をモニタ装置１１０に向けて、リモートコントローラ１３０Ｂの表示装置１００２の表示範囲一杯にモニタ装置１１０の映像表示面１１２の映像（テストパターン）が表示されるように視野調整機構１４０を操作してからユーザインターフェース部１３２内にある映像キャプチャスイッチを押す旨の操作ガイダンスを表示する。映像信号処理装置１２０ＢはＳ１４１２においてモニタ装置１１０に図１２（ａ）を参照して先に説明したようなテストパターン１２００の映像信号を出力する。これによって映像表示面にはテストパターンの映像が表示される。
【００８５】
観察者は上述した操作ガイダンスに従ってリモートコントローラ１３０Ｂを操作し、ユーザインターフェース部１３２内にある映像キャプチャスイッチを押す。するとＳ１３１３の判定が肯定され、Ｓ１３１４でリモートコントローラ１３０Ｂは自動焦点調節機構１３８Ａを制御して、映像表示面１１２に表示されるテストパターンを撮像した像が鮮鋭となるように対物レンズ部１３４を駆動する。続くＳ１３１５においてリモートコントローラ１３０Ｂは、テストパターンの映像（例えば図１２（ｂ）に示されるような映像）をキャプチャし、続くＳ１３１６で送信制御部１４６Ａ、信号送信部１４８を介して映像信号処理装置１２０Ｂにテストパターンの映像信号を出力し、Ｓ１３１７で表示装置１００２をオフにして第二キャリブレーションモードの処理を終える。
【００８６】
映像信号処理装置１２０ＢはＳ１４１３において、上述したテストパターンの映像信号を、信号受信部１２１Ａを介して入力し、続くＳ１４１４において画像認識の技術を用いて各カラーパッチの像の色を解析し、モニタの表示特性を求める。Ｓ１４１５において映像信号処理装置１２０Ｂは、上記モニタ表示特性に基づくモニタ表示特性情報をモニタ表示特性情報記憶部２１２に記憶する。Ｓ１４１６において映像信号処理装置１２０Ｂは、モニタ表示特性情報記憶部２１２に記憶されるモニタ表示特性情報に基づき、モニタ色補正パラメータを算出し、続くＳ１４１７において、上記モニタ色補正パラメータをモニタ色補正パラメータ記憶部２２２に記憶し、第二キャリブレーションモードの処理を終える。
【００８７】
以上に説明した第一および第二キャリブレーションモードを実行して得られた照明変換パラメータおよびモニタ色補正パラメータに基づき、映像信号処理装置１２０Ｂは入力映像信号に色変換の処理を施してモニタ装置１１０に出力する。
【００８８】
以上に説明したように、第３の実施の形態に係る映像表示システムにおいては、観察者は接眼部に眼を当ててリモートコントローラを計測対象に向けて視準する操作、すなわち、いわゆるアイレベルでリモートコントローラを構える操作が不要となってリモートコントローラを扱う際の操作の自由度が増す。また、モニタ装置の映像表示面１１２に表示される複数種類のテストパターン（カラーパッチ等）を一括して取り込み、画像認識の技術によって各テストパターンを抽出し、それぞれのテストパターンの映像をもとにモニタ表示特性を求めることができるので、観察者に求められる操作も単純化され、キャリブレーションに要する時間も短縮される。
【００８９】
以上では、第一キャリブレーションモードおよび第二キャリブレーションモードが互いに独立して実行される例について説明したが、観察者がユーザインターフェース部１３２内にあるキャリブレーションモード実行開始スイッチを押すのに応じてこれら第一および第二のキャリブレーションモードが連続して実行されるものであってもよい。
【００９０】
また、イメージセンサ部１００８の画素数を高めることにより、視野調節機構１４０を省略することも可能である。すなわち、電子ズーム、あるいはディジタルズームとも称される、電子的にトリミングをする技術を用いて、リモートコントローラ１３０Ｂから送信される映像信号に基づく映像中からモニタ装置１１０の映像表示面１１２に表示されるテストパターンの映像部分を抽出することが可能である。このようにすることにより、視野調節機構１４０を構成するレンズやレンズ移動機構等を省略でき、リモートコントローラ１３０Ｂの小型化に寄与する。また、視野調節の操作が不要となることにより、観察者はさらに手軽にキャリブレーションを行うことが可能となる。
【００９１】
−  第４の実施の形態  −
図１５は、本発明の第４の実施の形態に係る映像表示システム１００Ｃの全体的構成を示すブロック図である。図１５に示す映像表示システム１００Ｂにおいて、他の実施の形態に係る映像表示システム１００、１００Ａ、１００Ｂが有するものと同様の構成要素には同じ符号を付してその説明を省略し、他の実施の形態との差異を中心に説明をする。また、機能的に類似している構成要素に対しては他の形態を説明する各図に示されるものと同じ番号にアルファベットを付加したものを参照符号として付している。
【００９２】
第３の実施の形態においては、図１０に示されるように、リモートコントローラ１３０Ｂが表示装置１００２を有していて、イメージセンサ部１００８で撮像された映像が表示装置１００２に表示され、観察者はその映像を観ながらリモートコントローラ１３０Ｂの対物レンズ部１３４を計測対象に向ける例について説明した。これに対して第４の実施の形態は、リモートコントローラ１３０Ｃが第３の実施の形態におけるリモートコントローラ１３０Ｂが有していた映像表示制御部１００６および表示装置１００２が省略されている。その代わりに、イメージセンサ部１００８で撮像された映像に基づく映像信号がリモートコントローラ１３０Ｃから映像信号処理装置１２０Ｃに送出され、その映像信号に基づくスルー画像（ライブビュー）１５０２が映像表示面１１２上に表示される。
【００９３】
以上に説明したような構成を実現するために、リモートコントローラ１３０Ｃはキャリブレーションモードの実行に際してイメージセンサ部１００８から出力される信号を制御部１００４で処理し、送信制御部１４６Ａ、信号送信部１４８を介して映像信号を映像信号処理装置１２０Ｃに送出する。
【００９４】
映像信号処理装置１２０Ｃは、信号受信部１２１Ａを介してリモートコントローラ１３０Ｃからの映像信号を受信する。この映像信号に基づく映像を、テストパターン映像生成部１２２Ａで生成されるテストパターンの映像に重畳させる処理が映像重畳部１５００で行われ、処理後の映像信号が表示映像切替部１２４を介してモニタ装置１１０に出力される。
【００９５】
観察者は、リモートコントローラ１３０Ｃのイメージセンサ部１００８で撮像され、映像表示面１１２に表示されるスルー画像（ライブビュー）１５０２を見ながら第３の実施の形態で説明した第一、第二のキャリブレーションモードに際してリモートコントローラ１３０Ｃを操作することができる。
【００９６】
リモートコントローラ１３０Ｃで行われる第一、第二キャリブレーションモードの処理は、図１３（ａ）、図１３（ｂ）に示されるフローチャートのＳ１３０３、Ｓ１３１２における表示装置オンの処理、そしてＳ１３０８、Ｓ１３１７における表示装置オフの処理が以下に説明する処理に変わる以外は第３の実施の形態と同じである。すなわち、第４の実施の形態では、図１３のＳ１３０３、Ｓ１３１２における表示装置オンの処理がイメージセンサ部１００８で捉えられた映像の映像信号を映像信号処理装置１２０Ｃへ送出開始する処理に置き換えられ、Ｓ１３０８、Ｓ１３１７における表示装置オフの処理が上記の映像信号送出終了の処理に置き換えられたものとなる。
【００９７】
映像信号処理装置１２０Ｃで行われる第一、第二キャリブレーションモードの処理は、第一、第二キャリブレーションモードの処理を実行中にリモートコントローラ１３０Ｃから送出される映像信号に基づくスルー画像（ライブビュー）１５０２を映像表示面１１２上に表示する点を除いて図１４（ａ）、図１４（ｂ）に示されるフローチャートに示されるものと変わりはない。
【００９８】
第４の実施の形態によれば、リモートコントローラ１３０Ｃに、図１０に示されるような表示装置１００２を設ける必要がないので、リモートコントローラ１３０Ｃを小型軽量に構成することが可能となるとともに、リモートコントローラ１３０Ｃの電池寿命を延ばすことができる点でも第３の実施の形態で用いられるリモートコントローラ１３０Ｂよりも有利である。
【００９９】
−  第５の実施の形態  −
図１６は、本発明の第５の実施の形態に係る映像表示システム１００Ｄの全体的構成を示すブロック図である。図１６に示す映像表示システム１００Ｄにおいて、他の実施の形態に係る映像表示システム１００、１００Ａ、１００Ｂ、１００Ｃが有するものと同様の構成要素には同じ符号を付してその説明を省略し、他の実施の形態との差異を中心に説明をする。また、機能的に類似している構成要素に対しては他の形態を説明する各図に示されるものと同じ番号にアルファベットを付加したものを参照符号として付している。
【０１００】
第５の実施の形態は、第４の実施の形態においてリモートコントローラ１３０Ｃをワイヤレスキーボード１３０Ｄに代えて構成したものである。観察者はユーザインターフェース部１３２Ａを操作することにより第一、第二キャリブレーションモードの実行を開始させることができる。観察者は、第一、第二キャリブレーションモードが実行される際に、映像表示面１１２に表示されるスルー画像（ライブビュー）１５０２を見ながら対物レンズ部１３４を基準白色板１１４、映像表示面１１２に向け、視野調整機構１４０を操作して対物レンズ部１３４の視野を調節する。対物レンズ部１３４は、ワイヤレスキーボード１３０Ｄ本体に対して向きを変えることが可能に構成され、対物レンズ部１３４の先端がモニタ装置１１０に向かうようにその向きを観察者が変えることができる。あるいは、対物レンズ部１３４がワイヤレスキーボード１３０Ｄに対して向きを変えられない構成を有していて、ワイヤレスキーボード１３０Ｄ全体を動かすことにより対物レンズ部１３４をモニタ装置１１０に向けるようにしてもよい。
【０１０１】
ワイヤレスキーボード１３０Ｄに内蔵される信号送信部１４８は、赤外光又は電波を用いてコマンドや映像データを送出可能に構成することができる。電波を用いる場合、無線ＬＡＮや無線ＵＳＢ、あるいはブルートゥース（登録商標）の技術を用いることが可能である。
【０１０２】
計測対象物の映像が視野一杯に捉えられたところで観察者はユーザインターフェース部１３２Ａを操作すると対物レンズ部１３４の焦点調節が自動的に行われ、計測対象物の映像が取り込まれて、映像信号が映像信号処理装置１２０Ｃに送出される。
【０１０３】
第５の実施の形態において、リモートコントローラとしてワイヤレスキーボードを用いる例について説明したが、マウスなどの他の機器を用いることも可能である。これについて図１７を参照して説明する。
【０１０４】
図１７は、第４の実施の形態で説明したリモートコントローラ１３０Ｃ、第５の実施の形態で説明したリモートコントローラ（ワイヤレスキーボード）１３０Ｄに備えられた、キャリブレーションモードを実行可能とする構成をワイヤレスマウス１３０Ｅに備える例を説明する図である。図１７（ｂ）はワイヤレスマウス１３０Ｅの上面図を、図１７（ａ）は図１７（ｂ）の断面ＡＡを概念的に示す図である。視野調節機構１４０Ａは、ユーザインターフェース部１３２Ｂと接続されていて、観察者がユーザインターフェース部１３２Ｂを操作することにより対物レンズ部１３４の画角を調整することが可能に構成される。例えばユーザインターフェース１３２Ｂのホイールを前側に回転させるとズームイン動作が行われ、後側に回転させるとズームアウト動作が行われるようにしてもよい。
【０１０５】
ワイヤレスマウス１３０Ｅは通常、マウスパッド等の上で動かして用いられる。第一、第二キャリブレーションモードの実行開始に際し、ユーザインターフェース部を操作して、映像表示面１１２に表示されるグラフィカルユーザインターフェース中からキャリブレーションモードの実行開始ボタンをクリックする。次に観察者は、映像表示面１１２に表示されるガイダンス表示に従って、ワイヤレスマウス１３０Ｅの底面を基準白色板１１４又は映像表示面１１２に向けつつ、映像表示面１１２に表示されるライブ映像（図１６参照）を見ながらユーザインターフェース部１３２Ｂを操作し、視野の調整を行う。そして計測対象物の映像が視野一杯に捉えられたところでさらにユーザインターフェース部１３２を操作する。この操作に応じて、対物レンズ部１３４の焦点調節が自動的に行われ、計測対象物の映像が取り込まれて、映像信号が映像信号処理装置１２０Ｃに送出される。
【０１０６】
上述したワイヤレスマウス１３０Ｅも、赤外光又は電波を用いてコマンドや映像データを送出可能に構成することができる。
【０１０７】
第５の実施の形態に係る映像表示システムによれば、映像信号処理装置１２０Ｃがコンピュータ等で構成される場合に、従来からあるユーザインターフェース、すなわちキーボードやマウス等にキャリブレーションモード実行用の構成を内蔵することにより、キャリブレーションモードが実行される際にリモートコントローラ等を取り出す必要がないので、より円滑な操作をすることが可能となる。また、ワイヤレスキーボードやワイヤレスマウス等を用いることで、観察者が映像を観察する位置から観察環境照明光特性およびモニタ表示特性を得ることができるので、他の実施の形態に係る映像表示システムと同様に、手軽に上述したキャリブレーションを行うことができ、モニタ装置の視角に応じて最も適した色再現の映像を観察することが可能となる。
【産業上の利用可能性】
【０１０８】
本発明に係る映像信号処理の技術は、ケーブルテレビによる有線放送や通常のテレビ放送、あるいはインターネットを介して配信される映像信号をもとに映像を観察（観賞）するシステムに適用可能である。本発明はまた、光ディスク等の媒体に記録された映像を再生して観察するシステム、やパーソナルコンピュータおよびこのパーソナルコンピュータに接続されるモニタ装置などで構成されるシステムに利用可能である。
【図面の簡単な説明】
【０１０９】
【図１】本発明の第１の実施の形態に係る映像表示システムの概略的構成を説明するブロック図である。
【図２】色変換パラメータ算出部の内部構成例を概略的に示すブロック図である。
【図３】色変換処理部およびモニタ色変換部の内部構成例を概略的に示すブロック図である。
【図４】モニタ装置に表示されるテストパターンを例示する図である。
【図５】リモートコントローラで実行されるキャリブレーションモードの処理手順を説明する概略フローチャートである。
【図６】映像信号処理装置で実行されるキャリブレーションモードの処理手順を説明する概略フローチャートである。
【図７】本発明の第２の実施の形態に係る映像表示システムの概略的構成を説明するブロック図である。
【図８】リモートコントローラで実行されるキャリブレーションモードの処理手順を説明する概略フローチャートであり、（ａ）が第一キャリブレーションモードの、（ｂ）が第二キャリブレーションモードの処理手順をそれぞれ示す。
【図９】リモートコントローラで実行されるキャリブレーションモードの処理手順を説明する概略フローチャートであり、（ａ）が第一キャリブレーションモードの、（ｂ）が第二キャリブレーションモードの処理手順をそれぞれ示す。
【図１０】本発明の第３の実施の形態に係る映像表示システムの概略的構成を説明するブロック図である。
【図１１】色変換パラメータ算出部の内部構成例を概略的に示すブロック図である。
【図１２】図１２（ａ）は、モニタ装置に表示されるテストパターンを例示する図であり、図１２（ｂ）はリモートコントローラによって捉えられる映像を例示する図である。
【図１３】リモートコントローラで実行されるキャリブレーションモードの処理手順を説明する概略フローチャートであり、（ａ）が第一キャリブレーションモードの、（ｂ）が第二キャリブレーションモードの処理手順をそれぞれ示す。
【図１４】リモートコントローラで実行されるキャリブレーションモードの処理手順を説明する概略フローチャートであり、（ａ）が第一キャリブレーションモードの、（ｂ）が第二キャリブレーションモードの処理手順をそれぞれ示す。
【図１５】本発明の第４の実施の形態に係る映像表示システムの概略的構成を説明するブロック図である。
【図１６】本発明の第５の実施の形態に係る映像表示システムの概略的構成を説明するブロック図である。
【図１７】本発明第５の実施の形態に係る映像表示システムにおいて、リモートコントローラをマウスで構成する例を説明するブロック図である。
【符号の説明】
【０１１０】
１００、１００Ａ、１００Ｂ、１００Ｃ、１００Ｄ  …  映像表示システム
１１０  …  モニタ装置
１１２  …  映像表示面
１１４  …  基準白色板
１２０、１２０Ａ、１２０Ｂ、１２０Ｃ  …  映像信号処理装置
１２１  …  信号受信部
１２２  …  テストパターン映像生成部
１２４  …  表示映像切替部
１２５、１２５Ａ  …  色変換パラメータ算出部
１２６  …  色変換部
１３０、１３０Ａ、１３０Ｂ、１３０Ｃ、１３０Ｄ、１３０Ｅ  …  リモートコントローラ
１３２、１３２Ａ、１３２Ｂ  …  ユーザインターフェース部
１３４  …  対物レンズ部
１３６  …  ビームスプリッタ
１３８、１３８Ａ  …  焦点調節機構
１４０、１４０Ａ  …  視野調節機構
１４２  …  カラーセンサ部
１４４  …  センサ制御部
１４６  …  送信制御部
１４８、１４８Ａ  …  信号送信部
１５０  …  接眼部
２０２  …  入力映像プロファイル情報記憶部
２０４  …  入力γ補正データ記憶部
２０６  …  観察環境照明光特性情報記憶部
２０８  …  照明変換パラメータ算出部
２１０  …  照明変換パラメータ記憶部
２１２  …  モニタ表示特性情報記憶部
２１４  …  モニタ色補正パラメータ算出部
２１６  …  オフセット補正データ算出部
２１８  …  トーンカーブ補正データ算出部
２２０  …  色変換データ算出部
２２２  …  モニタ色補正パラメータ記憶部
２２４  …  オフセット補正データ記憶部
２２６  …  トーンカーブ補正データ記憶部
２２８  …  色変換データ記憶部
３０２  …  色変換処理部
３０４  …  モニタ色変換部
３０６  …  色分解演算部
３０８、３１２  …  ルックアップ・テーブル
３１０  …  照明変換処理部
４０１、４０２、４０３、４０４、４０５、４０６、４０７、１２００  …  テストパターン
４１０、１２０８、１２１０  …  高コントラストパターン
７０２  …  照明センサ部
７０４  …  照明センサ制御部
１００２  …  表示装置
１００４  …  制御部
１００８  …  イメージセンサ部
１１００  …  画像認識・計測値抽出部
１２０２、１２０４、１２０６、１２１２  …  カラーパッチ
１２１４  …  階調特性計測用パターン
１２１６  …  映像
１５００  …  映像重畳部
１５０２  …  スルー画像（ライブビュー）
【図１】
2009005004.tif 000003
【図２】
2009005004.tif 000004
【図３】
2009005004.tif 000005
【図４】
2009005004.tif 000006
【図５】
2009005004.tif 000007
【図６】
2009005004.tif 000008
【図７】
2009005004.tif 000009
【図８】
2009005004.tif 000010
【図９】
2009005004.tif 000011
【図１０】
2009005004.tif 000012
【図１１】
2009005004.tif 000013
【図１２】
2009005004.tif 000014
【図１３】
2009005004.tif 000015
【図１４】
2009005004.tif 000016
【図１５】
2009005004.tif 000017
【図１６】
2009005004.tif 000018
【図１７】
2009005004.tif 000019